(57)【要約】【課題】簡易トイレの使用感を向上させるとともに、限られたスペースで使用でき、持ち運びをしやすいようにする。また、常に乗用車に常備しても負担にならないようにする。【解決手段】丈夫な素材で出来ているため安心して使うことができ、高さ調節が可能で子供でも使いやすく機能性がありながら、使用しないときは折りたたんでコンパクトに収納できる。使用済みの排泄物処理用のシートは小さく丸めてテープで留めることができ、衛生的で廃棄しやすいよう工夫した。また、蓋を閉じて踏み台として使用したり、非常停止を知らせる表示板を貼り付けたりすることもでき、別にそれらを設置するスペースや費用を省くことができる。さらに、家庭内や災害時でも活用の余地がある。【選択図】図６
0003155155.tif 000002
【実用新案登録請求の範囲】
【請求項１】
座面がＵ字型で蓋が付いており、未使用時は折りたたんでコンパクトにできるとともに、組み立て時の高さの調節ができ、蓋の内側に車両の非常停止を知らせる夜用蛍光塗料付の表示板を貼り付けることが可能であることを特徴とした鉄製の椅子。
【請求項２】
簡易トイレに設置しやすくするため開口部に切れ目が入っており、広げやすく袋状で、排泄物を吸収・凝固させ廃棄処分の際にはコンパクトに丸めてテープで留めることを特徴とする排泄物処理用シート。
【考案の詳細な説明】
【技術分野】
【０００１】  本考案は、簡易トイレ及び非常停車表示板及び乗降車時の踏み台としての機能を兼ねた椅子に関するものである。
【背景技術】
【０００２】  車を使用するにあたって必要な道具は意外と多いものである。例えば、車での移動の際には交通渋滞に巻き込まれることもあり、いざというときに簡易トイレは便利である。【０００３】  また、非常時に必要なものもある。非常停車の際、後続車からは非常停車中の車両が見えず、追突事故が発生することもしばしばある。非常停車中であることを知らせることができれば、事故を防ぐことが可能である。このように非常停車を知らせる表示装置については開示されている（特許文献１）。【０００４】  さらに、乗降口が高い自動車の場合、車の乗降時に踏み台が必要となることもある。【０００５】  このように、様々な自動車関連用品があるが、必要なものは全てを車に積んで運ばなければならない。
【先行技術文献】
【０００６】
【特許文献】
【特許文献１】特開２００４−２７５１９６号公報
【特許文献２】特開２００６−２０６６０号公報
【考案の概要】
【考案が解決しようとする課題】
【０００７】  しかし、常時車に積んだままにしておくと、スペースや重量の点で負担になる。また、それぞれを別に購入するのは経済的ではない。【０００８】  簡易トイレは、形態として多種多様なものがあるが、特許文献１のようなシート状の物では使いにくい。また、特許文献２のような椅子型の物ではスペースが必要となる。しかも、簡易トイレ全般として排泄物の処理が困難であるという問題点がある。
【課題を解決するための手段】
【０００９】  緊急時に必要となる機能を一つの椅子に備えたことにより、スペースの削減を可能とした。使用しない時は折りたたむことができ、場所をとらない。また、出来るだけ簡素な構造にすることにより重量面の負担を軽減した。別に購入する必要が省け、経済面の問題を解決した。【００１０】  簡易トイレを折りたたみ式の椅子とし、コンパクトさと使いやすさを両立した。工具を使わずに簡単に組み立てることができ、組み立て後は車内でも使用できる大きさであり、高さの調節が可能である。収納も簡単である。鉄製のため、安心して使用できる強度であり、丸洗いもでき衛生的である。【００１１】  また、排泄物処理用シートは開口部に切り込みを入れることで、便座に広げやすく使用しやすく配慮した。使用後は紙おむつのように丸めてコンパクトにすることができるため、廃棄処分が簡単である。また、災害時で水の使用できない場合でも、衛生的である。【００１２】  非常停止中の際は、椅子の蓋部分にマグネットの表示板を貼り付けるだけで知らせることができ、面倒な設置の手間を省くことを可能とした。
【考案の効果】
【００１３】  荷物を減らし車での移動を快適にすることに役立つ。
【図面の簡単な説明】
【００１４】
【図１】（Ａ）、（Ｂ）、（Ｃ）はそれぞれ本考案の椅子の折りたたんだ状態を示す平面図、正面図、側面図である。
【図２】本考案の椅子の組み立て後の正面斜視図である。
【図３】（Ｄ）、（Ｅ）はそれぞれ本考案の椅子を簡易トイレ用便座として使用する際の、排泄物用シートを取り付けた状態を示す正面図、側面図である。
【図４】本考案の椅子を簡易トイレとして使用する際に用いる排泄物処理用シートの形状を示す。（Ｆ）は正面図、（Ｇ）は側面図である。
【図５】本考案の椅子を簡易トイレとして使用する際に用いる排泄物処理用シートを袋状に広げた状態の立体図である。
【図６】本考案の椅子を簡易トイレとして使用する際に用いる排泄物処理用シートを椅子にセットした状態を示している。
【図７】本考案の椅子を簡易トイレとして使用する際に用いる排泄物処理用シートを使用後、丸めた状態を示している。
【図８】（Ｈ）は本考案の椅子の脚部を取替え、椅子の高さをより高くして使用する場合の折りたたんだ状態を示した図である。（Ｉ）、（Ｊ）、（Ｋ）は、組み立て後の側面図、正面図、下から見た図である。
【図９】本考案の椅子の高さを通常時より低く変化させた状態を示す図である。
【図１０】（Ｌ）、（Ｍ）はそれぞれ非常停車時であることを知らせる表示板を取り付けた場合の本考案の椅子の正面図と側面図である。
【考案を実施するための形態】
【実施例】
【００１５】  以下、添付図面に従って一実施例を説明する。未使用時は折りたたんだ状態にして保管する（図１）。使用する際は、外側脚３、内側脚４を持ち上げて起こし、外側脚３をストッパー１１に引っ掛ける（図２）。蓋２を閉じた状態で安定した場所に置けば踏み台として利用できる。【００１６】  簡易トイレとして利用する際は、蓋２を開けた状態にし、排泄物処理用シート（図４）を便座１に設置する（図３）。シートは広げると袋状になり、切り込み１５によって便座１に沿う形になる（図５）。設置後の状態が図６である。使用後は便座１から外し、折りたたんで丸め、廃棄用テープ１４で留めてから廃棄する（図７）。【００１７】  外側脚３・内側脚４は取り外しが可能であるため、長い脚に取替え可能である。椅子を高くしたい場合は、長い脚に取り替えて使用できる（図８）。【００１８】  ストッパー１１により、二段階に高さを調節できる。図９では、外側のストッパーに外側足３を引っ掛けることによって高さを低くしている。【００１９】  非常停止を知らせる場合は、蓋２に非常停止表示板１６を貼る（図１０）。【００２０】  以上は一実施例であり、本考案を実施するにあたり、この説明・手順に限定されるものではない。車内のみの使用に限られず、高さを調節することにより家庭内で幼児用のおまるとして使用することもできる。また、災害用としても活用可能である。シンプルな形状であるため多目的に利用できる。
【符号の説明】
【００２１】１、１ａ  便座
２、２ａ  蓋
３、３ａ  外側脚
４、４ａ  内側脚
５  ナックル用ボルト・ナット
６  スペーサー
７  内側脚ホルダー
８  便座側蝶番
９  蓋側蝶番
１０  蝶番用ピン
１１  外側脚ストッパー
１２  内・外装シート
１３  吸収体（凝固剤混入）
１４  廃棄用テープ
１５  切り込み
１６  非常停止表示板
【図１】
0003155155.tif 000003
【図２】
0003155155.tif 000004
【図３】
0003155155.tif 000005
【図４】
0003155155.tif 000006
【図５】
0003155155.tif 000007
【図６】
0003155155.tif 000008
【図７】
0003155155.tif 000009
【図８】
0003155155.tif 000010
【図９】
0003155155.tif 000011
【図１０】
0003155155.tif 000012
【手続補正書】
【提出日】平成21年8月10日(2009.8.10)
【手続補正１】
【補正対象書類名】実用新案登録請求の範囲
【補正対象項目名】全文
【補正方法】変更
【補正の内容】
【実用新案登録請求の範囲】
【請求項１】
Ｕ字型の座面１、蓋および取り外し可能なパイプ状の外側脚３・内側脚４から構成され、脚３を固定するための突起を二つ備えたストッパー１１を座面裏の前方部に左右計二箇所取り付けたものであり、脚３をストッパーに固定またはストッパーから取りはずすことにより組み立て・折りたたみを行うことが出来るとともに、椅子の高さを二段階に調節することが可能である点を特徴とする椅子。